(57)【要約】【課題】色域外の色を色域の色に変換した際に色の違いおよびその変化の方向が反映された色変換を行うことができる画像処理装置、および、そのような色変換を行うための色域を設定する色域設定装置を提供する。【解決手段】外郭変更部１３は、まず、多色色域作成部１２で作成した多色色域の外郭面上に第１の多色制御点を設定する。次に、基本色色域作成部１１で作成した基本色色域の外郭面上の例えば最大彩度点などに基本色制御点を設定し、基本色制御点の明度となる多色色域の外郭点を求め、その外郭点と基本色制御点から域内制御点を設定する。そして、第１の多色制御点、域内制御点から多色色域の外郭面上に第２の多色制御点を設定し、第１の多色制御点、域内制御点、第２の多色制御点を外郭面として含むように、多色色域の外郭面を変更する。【選択図】図１
2013042366.tif 000002
【特許請求の範囲】
【請求項１】
基本色により再現される色の範囲である基本色色域を作成する基本色色域作成手段と、前記基本色とともに墨以外の特色を用いて再現される色の範囲である多色色域を作成する多色色域作成手段と、前記多色色域の外郭面上に第１の多色制御点を設定するとともに前記基本色色域の外郭面上に基本色制御点を設定し前記基本色制御点を用いて前記多色色域内であって前記基本色色域外に域内制御点を設定し前記第１の多色制御点と前記域内制御点から前記多色色域の外郭面上に第２の多色制御点を設定し前記第１の多色制御点と前記域内制御点と前記第２の多色制御点を用いて前記多色色域の外郭面を変更する変更手段を有することを特徴とする色域設定装置。
【請求項２】
前記変更手段は、前記基本色制御点の明度となる前記多色色域の外郭点よりも彩度が低く、前記基本色制御点よりも彩度が高い色として前記域内制御点を設けるとともに、前記第１の多色制御点と前記基本色制御点の明度となる前記多色色域の外郭点との彩度差に応じて前記域内制御点の彩度を設定することを特徴とする請求項１に記載の色域設定装置。
【請求項３】
少なくとも与えられた色が請求項１または請求項２に記載の色域設定装置で外郭面を変更された多色色域である変更多色色域外の色である場合に前記与えられた色を前記変更多色色域の色へ変換する変換手段を有することを特徴とする画像処理装置。
【請求項４】
コンピュータに、請求項１または請求項２に記載の色域設定装置の機能を実行させるものであることを特徴とする色域設定プログラム。
【請求項５】
コンピュータに、請求項３に記載の画像処理装置の機能を実行させるものであることを特徴とする画像処理プログラム。
【発明の詳細な説明】
【技術分野】
【０００１】
本発明は、色域設定装置、画像処理装置、色域設定プログラム、画像処理プログラムに関するものである。
【背景技術】
【０００２】
一般に、与えられた画像においては、出力装置等において再現される色域外の色が使用されている場合もある。そのため、ある出力装置で画像を出力させる場合、当該出力装置で再現される色域外の色を再現される色域の色へ変換している。
【０００３】
一方、出力装置においては、シアン、マゼンタ、イエローの３色あるいはさらにブラック（墨）の４色の色材を用いて画像を形成している。近年では、さらに、これら３色あるいは４色以外の色（特色）の色材を用いる装置も開発されている。特色を用いることにより、特色を用いない場合に比べて再現される色域が広がる。このような特色を用いた場合に再現される色域の求め方としては、特許文献１に記載されている方法などがある。
【０００４】
特色を用いる場合でも、与えられた画像の色が再現される色域外の色の場合があり、そのような場合には特色を用いた場合の色域の色へ変換することになる。図１４は、特色を用いた場合の従来の色変換の一例の説明図である。図１４では、ある色相における明度−彩度平面を示しており、特色を用いない３色あるいは４色による色域と、さらに特色を用いる場合の色域と、与えられた画像の色域（入力色域）を模式的に示している。特色を用いる場合の色域は、特色を用いない場合の色域に比べて形状が異なっており、この形状の相違により不具合が生じる。例えば図１４に示した例では、特色を用いた場合の色域外の色となる入力色域の外郭の色を、特色を用いた場合の色域の外郭の色へ変換した例を示しているが、図中の楕円で囲んだ部分に変換後の色が集中している。そのため、入力色域における色の違いが、変換後の色では反映されない場合が生じる。また、図中の矢線で示しているように、変換前後で色の変化の方向が異なり、例えば彩度方向の色の違いが明度方向の色の違いとなってしまう場合がある。
【先行技術文献】
【特許文献】
【０００５】
【特許文献１】特開２０１０−１８７１４４号公報
【発明の概要】
【発明が解決しようとする課題】
【０００６】
本発明は、色域外の色を色域の色に変換した際に色の違いおよびその変化の方向が反映された色変換を行うことができる画像処理装置および画像処理プログラムと、そのような色変換を行うための色域を設定する色域設定装置および色域設定プログラムを提供することを目的とするものである。
【課題を解決するための手段】
【０００７】
本願請求項１に記載の発明は、基本色により再現される色の範囲である基本色色域を作成する基本色色域作成手段と、前記基本色とともに墨以外の特色を用いて再現される色の範囲である多色色域を作成する多色色域作成手段と、前記多色色域の外郭面上に第１の多色制御点を設定するとともに前記基本色色域の外郭面上に基本色制御点を設定し前記基本色制御点を用いて前記多色色域内であって前記基本色色域外に域内制御点を設定し前記第１の多色制御点と前記域内制御点から前記多色色域の外郭面上に第２の多色制御点を設定し前記第１の多色制御点と前記域内制御点と前記第２の多色制御点を用いて前記多色色域の外郭面を変更する変更手段を有することを特徴とする色域設定装置である。
【０００８】
本願請求項２に記載の発明は、本願請求項１に記載の発明における前記変更手段が、前記基本色制御点の明度となる前記多色色域の外郭点よりも彩度が低く、前記基本色制御点よりも彩度が高い色として前記域内制御点を設けるとともに、前記第１の多色制御点と前記基本色制御点の明度となる前記多色色域の外郭点との彩度差に応じて前記域内制御点の彩度を設定することを特徴とする色域設定装置である。
【０００９】
本願請求項３に記載の発明は、少なくとも与えられた色が請求項１または請求項２に記載の色域設定装置で外郭面を変更された多色色域である変更多色色域外の色である場合に前記与えられた色を前記変更多色色域の色へ変換する変換手段を有することを特徴とする画像処理装置である。
【００１０】
本願請求項４に記載の発明は、コンピュータに、請求項１または請求項２に記載の色域設定装置の機能を実行させるものであることを特徴とする色域設定プログラムである。
【００１１】
本願請求項５に記載の発明は、コンピュータに、請求項３に記載の画像処理装置の機能を実行させるものであることを特徴とする画像処理プログラムである。
【発明の効果】
【００１２】
本願請求項１に記載の発明によれば、特色を用いた場合の多色色域外の色を変換した場合でも、色域外の色の違いおよびその変化の方向が反映されるように変換するための色域を設定することができる。
【００１３】
本願請求項２に記載の発明によれば、本構成を有しない場合に比べて、多色色域の形状に応じた外郭面の変更を行うことができる。
【００１４】
本願請求項３に記載の発明によれば、特色を用いた場合の多色色域外の色を変換した場合でも、色域外の色の違いおよびその変化の方向が反映されるように変換することができる。
【００１５】
本願請求項４に記載の発明によれば、本願請求項１または請求項２に記載の発明の効果を得ることができる。
【００１６】
本願請求項５に記載の発明によれば、本願請求項３に記載の発明の効果を得ることができる。
【図面の簡単な説明】
【００１７】
【図１】本発明の色域設定装置の実施の一形態を示す構成図である。
【図２】本発明の実施の一形態における動作の一例を示す流れ図である。
【図３】外郭変更部１３の動作の一具体例を示す流れ図である。
【図４】外郭変更部１３の動作の一具体例の説明図である。
【図５】域内制御点の決定方法の一例の説明図である。
【図６】外郭変更部１３の動作の別の具体例の説明図である。
【図７】外郭変更部１３の動作のさらに別の具体例の説明図である。
【図８】本発明の画像処理装置の実施の一形態を示す構成図である。
【図９】本発明の画像処理装置の実施の一形態における色変換の模式図である。
【図１０】色相−彩度平面での多色色域外郭と仮想多色色域外郭の一例の説明図である。
【図１１】制御点Ｚの決定方法の一例の説明図である。
【図１２】色相−彩度平面での多色色域外郭と仮想多色色域外郭の別の例の説明図である。
【図１３】本発明の色域設定装置の実施の一形態または画像処理装置の実施の一形態で説明した機能をコンピュータプログラムで実現した場合におけるコンピュータプログラム及びそのコンピュータプログラムを格納した記憶媒体とコンピュータの一例の説明図である。
【図１４】特色を用いた場合の従来の色変換の一例の説明図である。
【発明を実施するための形態】
【００１８】
図１は、本発明の色域設定装置の実施の一形態を示す構成図である。図中、１１は基本色色域作成部、１２は多色色域作成部、１３は外郭変更部である。上述したが、出力装置では予め決められた３色あるいは４色を混合することによってカラー出力を行っており、その３色あるいは４色を基本色と呼ぶことにする。基本色としては、例えばシアン、マゼンタ、イエローの３色、シアン、マゼンタ、イエローとともにブラック（墨）を用いた４色、あるいは赤、緑、青の３色などがある。また、これらの基本色とともに用い、例えば色域を広げるために用いられる基本色以外の色を特色と呼ぶこととし、基本色と特色を合わせて多色と呼ぶことにする。なお、基本色が墨を含まない場合であっても、特色は墨以外の色であるものとする。また、特色として使用する色は予め与えられているものとする。
【００１９】
基本色色域作成部１１は、基本色により再現される色の範囲である基本色色域を作成する。作成する方法としては種々の方法が従来より知られており、いずれの方法を用いてもよい。
【００２０】
多色色域作成部１２は、基本色と特色からなる多色を用いて再現される色の範囲である多色色域を作成する。多色色域を作成する方法についても、公知の種々の方法から採用すればよい。例えば特許文献１に記載されている、各色の値の組み合わせを変更した色を色空間変換して多色色域を得る方法などを用いてもよい。
【００２１】
外郭変更部１３は、多色色域作成部１２で作成した多色色域内であって、基本色色域作成部１１で作成した基本色色域外となる色領域に域内制御点を設定して、その域内制御点を外郭面として含むように多色色域の外郭面を変更する。より具体的な変更方法としては、まず、多色色域の外郭面上に第１の多色制御点を設定する。次に、基本色色域の外郭面上の例えば最大彩度点などに基本色制御点を設定し、基本色制御点を用いて域内制御点を設定する。そして、第１の多色制御点、域内制御点から多色色域の外郭面上に第２の多色制御点を設定し、第１の多色制御点、域内制御点、第２の多色制御点を用いて多色色域の外郭面を変更すればよい。域内制御点は、例えば、基本色制御点の明度となる多色色域の外郭点よりも彩度が低く、前記基本色制御点よりも彩度が高い色とし、第１の多色制御点と基本色制御点の明度となる多色色域の外郭点との彩度差に応じて設定するとよい。
【００２２】
図２は、本発明の実施の一形態における動作の一例を示す流れ図である。Ｓ２１において、基本色色域作成部１１は基本色色域を作成する。またＳ２２において、多色色域作成部１２は多色色域を作成する。なお、Ｓ２１とＳ２２はいずれを先に行ってもよいし、並行して行ってもよい。また、これらの処理を別途行っておいて、作成された基本色色域、多色色域の情報を使用するように構成してもよい。
【００２３】
Ｓ２３において、外郭変更部１３は、Ｓ２２で作成した多色色域内であって、Ｓ２１で作成した基本色色域外となる色領域に域内制御点を設定して、その域内制御点を外郭面として含むように多色色域の外郭面を変更する。
【００２４】
このＳ２３において行う外郭変更部１３の動作の一具体例について説明する。図３は、外郭変更部１３の動作の一具体例を示す流れ図、図４は、外郭変更部１３の動作の一具体例の説明図である。図４は、ある色相における明度−彩度平面について示しており、基本色色域の外郭を破線で示し、ある特色が用いられた場合の変更前の多色色域の外郭の一例を細線で示し、変更後の多色色域の外郭の一例を太線で示している。
【００２５】
Ｓ３１において、多色色域の外郭面上に第１の多色制御点を設定する。この第１の多色制御点としては、例えば、多色色域の外郭において各色相での最大彩度となる色を第１の多色制御点とすればよい。あるいは、各色相で特色を最大限に使用した場合の色を第１の多色制御点とするなど、予め決めておいた方法により第１の多色制御点を設定すればよい。図４においては、多色色域において最大彩度となる点Ａを第１の多色制御点として示している。
【００２６】
Ｓ３２において、基本色色域の外郭面上に基本色制御点を設定する。この基本色制御点としては、例えば各色相における基本色色域の最大彩度点を基本色制御点として設定するとよい。図４においては、基本色色域において最大彩度となる点Ｂを基本色制御点として示している。
【００２７】
Ｓ３３において、基本色制御点の明度となる多色色域の外郭点を求める。図４においては、多色色域外郭上の点Ｃを求めたものとして示している。
【００２８】
Ｓ３４において、基本色制御点の明度であって、Ｓ３３で求めた外郭点よりも彩度が低く、基本色制御点よりも彩度が高い色を域内制御点として設定する。図４においては、基本色制御点である点Ｂと多色色域外郭上の点Ｃを結ぶ線上（線分ＢＣ上）に点Ｄとして域内制御点を示している。
【００２９】
Ｓ３５において、Ｓ３１で求めた第１の多色制御点、Ｓ３４で求めた域内制御点から、多色色域の外郭面上に第２の多色制御点を設定する。図４においては、第２の多色制御点を点Ｅとして示している。この第２の多色制御点は、例えば、図４に示した明度−彩度平面において第１の多色制御点である点Ａと域内制御点である点Ｄを通る直線と多色色域の外郭との交点を第２の多色制御点である点Ｅとすればよい。あるいは、この交点よりも低明度、低彩度の多色色域の外郭点を第２の多色制御点としてもよい。図４では後者の例を示している。
【００３０】
Ｓ３６において、Ｓ３１で求めた第１の多色制御点、Ｓ３４で求めた域内制御点、Ｓ３５で求めた第２の多色制御点が外郭面上の点となるように、多色色域の外郭を変更する。図４において、変更された後の多色色域の外郭を太線で示している。変更された後の多色色域の外郭では、基本色色域や例えば図１４で示した入力色域などと類似した形状となり、例えば図１４を用いて説明した色変換後の色の集中や、色の変化の方向が異なるなどの不具合が回避される。また、多色色域の外郭を変更するための制御点は基本色色域外に設けているので、変更後の多色色域は基本色色域を包含しており、使用する特色による色域の拡大も図られている。
【００３１】
図４に示した例では、ある色相における多色色域の外郭を変更する例を示しているが、このような外郭の変更は、面として行う。そのために、例えば特色を用いることにより影響する色相において、予め決めておいた色相間隔で各制御点を求めたり、あるいは、基本色および特色の配合割合の間隔で各制御点を求めるなどして、多色色域の外郭を面として変更すればよい。
【００３２】
Ｓ３４における基本色制御点（点Ｂ）とＳ３３で求めた外郭点（点Ｃ）とから域内制御点（点Ｄ）を設定する方法としては、Ｓ３３で求めた多色色域の外郭点と基本色制御点との彩度差に応じて設定するとよく、彩度差が小さいほどＳ３３で求めた多色色域の外郭点に近づけ、彩度差が大きいほど基本色制御点に近づけるとよい。図５は、域内制御点の決定方法の一例の説明図である。図５に示す例では、第１の多色制御点（図４における点Ａ）の彩度をＳａ、基本色制御点（点Ｂ）の彩度をＳｂ、Ｓ３３で求めた多色色域の外郭点（点Ｃ）の彩度をＳｃ、域内制御点（点Ｄ）の彩度をＳｄとする。この場合、第１の多色制御点（点Ａ）とＳ３３で求めた多色色域の外郭点（点Ｃ）との彩度差Ｔは、Ｔ＝｜Ｓａ−Ｓｃ｜である。この彩度差Ｔに従って、基本色制御点（点Ｂ）の彩度とＳ３３で求めた外郭点（点Ｃ）の彩度とから域内制御点（点Ｄ）の彩度を決定する。例えば、彩度差Ｔが予め決められた値αより小さい場合には、
Ｓｄ＝（Ｓｃ−Ｓｂ）・Ｔ／２α＋（Ｓｃ＋Ｓｂ）／２
により域内制御点の彩度を求め、また彩度差Ｔが予め決められた値α以上の場合には、
Ｓｄ＝Ｓｃ
とすればよい。このようにして域内制御点の彩度を求める場合の彩度差Ｔと域内制御点の彩度Ｓｄとの関係は図５に示す関係となる。なお、域内制御点（点Ｄ）の明度は基本色制御点（点Ｂ）あるいはＳ３３で求めた多色色域の外郭点（点Ｃ）の明度である。
【００３３】
図６は、外郭変更部１３の動作の別の具体例の説明図である。この図６に示した具体例は、図４に示した具体例に比べて彩度差Ｔが大きい場合を示している。この場合には、図４に示した具体例に比べ、図５に示した例から域内制御点（点Ｄ）の彩度はＳ３３で求めた多色色域の外郭点（点Ｃ）の彩度Ｓｃへ近づくことになる。
【００３４】
図６に示した具体例では、もともとの多色色域の外郭の形状が基本色色域や図１４に示した入力色域などと類似しており、図１４で説明した色変換後の色の集中や、色の変化の方向が異なるなどの不具合が図４に示した具体例と比べて少ない。そのため、図６に示した具体例では、図４に示した具体例と比べて多色色域の外郭に対する変更を少なくして色域を広く利用するようにしている。
【００３５】
上述の域内制御点の設定方法では、第１の多色制御点（点Ａ）とＳ３３で求めた多色色域の外郭点（点Ｃ）との彩度差Ｔにより図１４で説明した色変換後の色の集中や、色の変化の方向の相違などの不具合の程度を予測し、不具合の程度と色域の利用とを均衡させるように域内制御点を設定し、多色色域の外郭に対する変更を行っている。
【００３６】
図７は、外郭変更部１３の動作のさらに別の具体例の説明図である。図３に示した外郭変更部１３の動作例では、Ｓ３２で求めた基本色制御点（点Ｂ）とＳ３３で求めた多色色域の外郭点（点Ｃ）とから域内制御点（点Ｄ）をＳ３４で求め、さらにＳ３５で第２の多色制御点（点Ｅ）を設定して、第１の多色制御点（点Ａ）、域内制御点（点Ｄ）、第２の多色制御点（点Ｅ）を用いて多色色域の外郭を変更した。しかしこれに限らず、例えば第１の多色制御点（点Ａ）を多色色域の最大彩度点に、第２の多色制御点（点Ｅ）を例えば黒色点などにそれぞれ固定しておき、域内制御点（点Ｄ）を多色色域内であって基本色色域外となる色領域に設定すればよい。例えば図７（Ａ）に示した例では、域内制御点Ｄの明度を基本色制御点Ｂの明度とし、域内制御点Ｄの彩度を基本色制御点Ｂの彩度と第１の多色制御点Ａの彩度の平均としている。なお、第２の多色制御点は黒点としている。
【００３７】
また、図７（Ｂ）に示した例では、第１の多色制御点を白点、第２の多色制御点を黒点とし、域内制御点Ｄの明度を基本色制御点Ｂの明度とし、域内制御点Ｄの彩度を基本色制御点Ｂの彩度以上、基本色制御点の明度となる多色色域の外郭点の彩度以下の範囲で決めた点とした場合を示している。もちろん、このほかにも種々の方法により域内制御点を決め、あるいはさらにいくつかの制御点を決めて、多色色域の外郭を変更するとよい。
【００３８】
図８は、本発明の画像処理装置の実施の一形態を示す構成図である。図中、４１は色変換部である。色変換部４１は、上述の色域設定装置の実施の一形態によって設定された変更後の多色色域（以下、変更多色色域と呼ぶ）の情報を用い、与えられた色が変更多色色域外の色である場合に、その与えられた色を変更多色色域の色へ変換する。
【００３９】
図９は、本発明の画像処理装置の実施の一形態における色変換の模式図である。図９においては、ある色相における明度−彩度平面を示しており、細線で多色色域を、太線で変更多色色域を、破線で入力色域をそれぞれ示している。入力色域は、色変換部４１に与えられる色の範囲である。与えられる色は多色色域および変更多色色域外の色も含まれており、これらの色については、変更多色色域の色に変換することになる。図１４に示した例に比べて色変換後の色の集中は発生しておらず、また、色の変化の方向が変わらない色変換が行われている。
【００４０】
以上の説明では、ある色相における明度−彩度平面で多色色域を変形する場合について説明した。多色色域においては、ある明度における色相−彩度平面で見た場合にも、色変換部４１で色変換を行った場合に色の集中や色の変化方向の相違などが生じる場合がある。このような不具合を回避する方法について、以下、説明する。
【００４１】
図１０は、色相−彩度平面での多色色域外郭と仮想多色色域外郭の一例の説明図である。一般に、基本色や特色を単独で使用した場合の彩度は他の色を混合させた場合の彩度よりも高く、その彩度差により不具合が生じる。図１０においては具体例として、青（Ｂ）を特色として用いた場合を示している。青（Ｂ）は基本色のシアン（Ｃ）、マゼンタ（Ｍ）の中間の色相であり、図中、点Ｖ（（Ｃ，Ｂ，Ｍ）＝（０，１００，０））として示している。点Ｘは（Ｃ，Ｂ，Ｍ）＝（０，０，１００）の色であり、点Ｗは（Ｃ，Ｂ，Ｍ）＝（０，１００，１００）、点Ｕは（Ｃ，Ｂ，Ｍ）＝（１００，１００，０）である。点Ｖおよび点Ｘは特色である青（Ｂ）、基本色であるマゼンタ（Ｍ）単独の色であり、この２つの色を混合した点Ｗの彩度は点Ｖおよび点Ｘよりも低く、この部分で多色色域の外郭（細線で示している）は変形している。
【００４２】
このような場合に、点Ｖと点Ｗから制御点Ｚを設定し、点Ｕ、制御点Ｚ、点Ｘを外郭とする仮想多色色域の外郭を設定し、この仮想多色色域の外郭を用いて、仮想他色色域外の色を仮想多色色域の色に変換する。仮想多色色域の外郭を図１０において太線で示している。このままでは多色色域（変更多色色域）外となる色が存在する場合があるので、仮想多色色域への変換を行った後に、多色色域（変更多色色域）への変換を行うとよい。
【００４３】
制御点Ｚの設定方法としては、点Ｖの彩度Ｓｖと点Ｗの彩度Ｓｗを用いた点Ｖと点Ｗの彩度差Ｔ＝｜Ｓｖ−Ｓｗ｜が大きいほど点Ｗの彩度に近づけ、彩度差Ｔが小さいほど点Ｖの彩度に近づけるとよい。より具体的な一例としては、制御点Ｚの彩度をＳｚとすると、彩度差Ｔが予め決められた値βより小さい場合には、
Ｓｚ＝−（Ｓｖ−Ｓｗ）・Ｔ／２β＋Ｓｖ
により制御点Ｚの彩度を求め、また彩度差Ｔが予め決められた値β以上の場合には、
Ｓｚ＝（Ｓｖ＋Ｓｗ）／２
として制御点Ｚの彩度を求めればよい。なお制御点Ｚの色相は、点Ｖと点Ｗの中間の色相とすればよい。
【００４４】
図１１は、制御点Ｚの決定方法の一例の説明図である。上述のような制御点Ｚの彩度の設定方法を行う場合、彩度差Ｔと制御点Ｚの彩度Ｓｚとの関係は図１１に示す関係となる。
【００４５】
図１０（Ｂ）に示した例では、図１０（Ａ）に示した例に比べて彩度差Ｔが小さい場合を示している。上述の式および図１１に示した関係から、図１０（Ａ）に示した場合に比べて制御点Ｚの彩度を点Ｖに近づける。図１０（Ｂ）に示した例では、多色色域（変更多色色域）の外郭に現れている変形が図１０（Ａ）に示す例に比べて小さく、色変換の際に色の集中や色の変化方向の相違などの不具合が図１０（Ａ）に示した例と比べて少ない。そのため、図１０（Ｂ）に示した例では、図１０（Ａ）に示した例と比べて多色色域（変更多色色域）の外郭の変形を少なくして、多色色域（変更多色色域）を広く利用するようにしている。
【００４６】
図１２は、色相−彩度平面での多色色域外郭と仮想多色色域外郭の別の例の説明図である。上述の例では、仮想多色色域の色のうち多色色域（変更多色色域）外となる色が生じる場合があった。この例では、制御点Ｚを多色色域（変更多色色域）の外郭上に設定し、仮想多色色域が多色色域（変更多色色域）内となるようにする例を示す。なお、点Ｕ、点Ｖ、点Ｗ、点Ｘは図１０で説明した点であるとする。
【００４７】
この例における制御点Ｚの設定方法は、点Ｖの彩度Ｓｖと点Ｗの彩度Ｓｗを用いた点Ｖと点Ｗの彩度差Ｔ＝｜Ｓｖ−Ｓｗ｜が大きいほど点Ｗの彩度に近づけ、彩度差Ｔが小さいほど点Ｖの彩度に近づけるように、外郭上を移動させるとよい。より具体的な制御点Ｚの設定方法としては、図１０で説明した式により彩度を算出すればよく、その彩度となる外郭の点を制御点Ｚとすればよい。
【００４８】
図１２（Ａ）に示した例では、図１２（Ｂ）に示した例に比べて彩度差Ｔが大きく、従って制御点Ｚの彩度を図１２（Ｂ）に示した例に比べて点Ｗに近づける。そして、点Ｕ、制御点Ｚ、点Ｗ、点Ｘを含むように仮想多色色域の外郭を設定する。この場合、点Ｖを含む高彩度部分は削られる。
【００４９】
また図１２（Ｂ）に示した例では、図１２（Ａ）に示した例に比べて彩度差Ｔが小さく、従って制御点Ｚの彩度を図１２（Ａ）に示す場合に比べて点Ｖに近づける。そして、点Ｕ、制御点Ｚ、点Ｗ、点Ｘを含むように仮想多色色域の外郭を設定する。この場合、削られる部分は図１２（Ａ）に示した場合に比べて少なくなる。
【００５０】
この例では、仮想多色色域は多色色域（変更多色色域）に含まれるので、仮想多色色域への色変換を行うだけでよい。あるいは、図１に示した外郭変更部１３において、このような色相方向の変更まで行って変更多色色域とし、図９に示す色変換部４１では色相方向の変更まで行われた変更多色色域を用いて色変換を行えばよい。
【００５１】
上述の色相方向に関する２つの具体例では、特色として青（Ｂ）を用い、マゼンタ（Ｍ）側に外郭の変形が存在している場合について示した。シアン（Ｃ）側に外郭の変形が存在する場合には、点Ｕを（Ｃ，Ｂ，Ｍ）＝（０，１００，１００）、点Ｖを（Ｃ，Ｂ，Ｍ）＝（０，１００，０）、点Ｗを（Ｃ，Ｂ，Ｍ）＝（１００，１００，０）、点Ｘを（Ｃ，Ｂ，Ｍ）＝（１００，０，０）として上述の制御点Ｚを求め、点Ｕ、制御点Ｚ、点Ｘを含む仮想多色色域の外郭、あるいは点Ｕ、制御点Ｚ、点Ｗ、点Ｘを含む仮想多色色域の外郭を設定すればよい。特色の両側に外郭の変形が存在する場合、両側に制御点を設け、両制御点を含む仮想多色色域の外郭を設定すればよい。もちろん特色は青（Ｂ）に限らず、例えば紫（Ｖ）や赤（Ｒ）、オレンジ（Ｏ）、緑（Ｇ）など、種々の色でよく、いずれを用いた場合でも、それぞれの特色を挟む基本色とともに上述の処理を行えばよい。複数の特色が用いられる場合についても、それぞれ上述の処理を行えばよく、当然ながら、外郭の変形が存在しない色相領域については処理を行わなくてもよい。
【００５２】
色相方向における外郭の生成については、これらの方法に限定されることなく、外郭における色相の変化に対する彩度の変化が小さくなるように、制御点Ｚを設定して仮想多色色域の外郭を生成し、あるいは多色色域の外郭を変形し、色変換を行えばよい。
【００５３】
図１３は、本発明の色域設定装置の実施の一形態または画像処理装置の実施の一形態で説明した機能をコンピュータプログラムで実現した場合におけるコンピュータプログラム及びそのコンピュータプログラムを格納した記憶媒体とコンピュータの一例の説明図である。図中、５１はプログラム、５２はコンピュータ、６１は光磁気ディスク、６２は光ディスク、６３は磁気ディスク、６４はメモリ、７１はＣＰＵ、７２は内部メモリ、７３は読取部、７４はハードディスク、７５はインタフェース、７６は通信部である。
【００５４】
上述の本発明の色域設定装置の実施の一形態または画像処理装置の実施の一形態で説明した各部の機能を全部あるいは部分的に、コンピュータに実行させるプログラム５１によって実現してもよい。その場合、そのプログラム５１およびそのプログラムが用いるデータなどは、コンピュータが読み取る記憶媒体に記憶させておけばよい。記憶媒体とは、コンピュータのハードウェア資源に備えられている読取部７３に対して、プログラムの記述内容に応じて、磁気、光、電気等のエネルギーの変化状態を引き起こして、それに対応する信号の形式で、読取部７３にプログラムの記述内容を伝達するものである。例えば、光磁気ディスク６１，光ディスク６２（ＣＤ、ＤＶＤなどを含む）、磁気ディスク６３，メモリ６４（ＩＣカード、メモリカード、フラッシュメモリなどを含む）等である。もちろんこれらの記憶媒体は、可搬型に限られるものではない。
【００５５】
これらの記憶媒体にプログラム５１を格納しておき、例えばコンピュータ５２の読取部７３あるいはインタフェース７５にこれらの記憶媒体を装着してコンピュータからプログラム５１を読み出し、内部メモリ７２またはハードディスク７４（磁気ディスクやシリコンディスクなどを含む）に記憶し、ＣＰＵ７１によってプログラム５１を実行することによって、上述の本発明の色域設定装置の実施の一形態または画像処理装置の実施の一形態で説明した機能が全部あるいは部分的に実現される。あるいは、通信路を介してプログラム５１をコンピュータ５２に転送し、コンピュータ５２では通信部７６でプログラム５１を受信して内部メモリ７２またはハードディスク７４に記憶し、ＣＰＵ７１によってプログラム５１を実行することによって実現してもよい。
【００５６】
コンピュータ５２には、このほかインタフェース７５を介して様々な装置と接続してもよい。もちろん、部分的にハードウェアによって構成してもよいし、全部をハードウェアで構成してもよい。あるいは、他の構成とともに本発明の実施の一形態で説明した機能の全部あるいは部分的に含めたプログラムとして構成してもよい。例えば本発明の色域設定装置の実施の一形態で説明した機能と本発明の画像処理装置の実施の一形態で説明した機能とを一体としたプログラムとしてもよい。他の用途に適用する場合には、その用途におけるプログラムと一体化してもよい。
【符号の説明】
【００５７】
１１…基本色色域作成部、１２…多色色域作成部、１３…外郭変更部、４１…色変換部、５１…プログラム、５２…コンピュータ、６１…光磁気ディスク、６２…光ディスク、６３…磁気ディスク、６４…メモリ、７１…ＣＰＵ、７２…内部メモリ、７３…読取部、７４…ハードディスク、７５…インタフェース、７６…通信部。
【図１】
2013042366.tif 000003
【図２】
2013042366.tif 000004
【図３】
2013042366.tif 000005
【図４】
2013042366.tif 000006
【図５】
2013042366.tif 000007
【図６】
2013042366.tif 000008
【図７】
2013042366.tif 000009
【図８】
2013042366.tif 000010
【図９】
2013042366.tif 000011
【図１０】
2013042366.tif 000012
【図１１】
2013042366.tif 000013
【図１２】
2013042366.tif 000014
【図１３】
2013042366.tif 000015
【図１４】
2013042366.tif 000016